(57)【要約】【課題】支柱を容易に設置できる床構造体を提供すること。【解決手段】床構造体１は、地面に配設された複数の基台２と、複数の基台２に立設された複数の柱３と、複数の柱３に架設された複数の大引４と、複数の大引４に架設された複数の根太５と、大引４及び／又は根太５の上に敷設された複数の床材１１と、床材１１の外側において大引４の上面４１又は根太５の上面５１に直接的に又は間接的に固定される支柱１５と、を備える。また、床材１１の外側において大引４の上面４１又は根太５の上面５１に固定される下地部材７１を更に備え、支柱１５は、下地部材７１を介して大引４の上面４１又は根太５の上面５１に固定されていてもよい。【選択図】図４
2019199719.tif 000002
【特許請求の範囲】
【請求項１】
地面に配設された複数の基台と、
前記複数の基台に立設された複数の柱と、
前記複数の柱に架設された複数の大引と、
前記複数の大引に架設された複数の根太と、
前記大引及び／又は前記根太の上に敷設された複数の床材と、
前記床材の外側において前記大引の上面又は前記根太の上面に直接的に又は間接的に固定される支柱と、を備える床構造体。
【請求項２】
前記床材の外側において前記大引の上面又は前記根太の上面に固定される下地部材を更に備え、
前記支柱は、前記下地部材を介して前記大引の上面又は前記根太の上面に固定される請求項１に記載の床構造体。
【請求項３】
前記下地部材は、前記大引又は前記根太の長手方向に沿って延びるスライド溝を有し、
前記支柱は、前記スライド溝に沿ってスライド移動可能に構成される請求項２に記載の床構造体。
【請求項４】
前記スライド溝における前記支柱が配置されない部分に配置されるカバー部材を更に備える請求項３に記載の床構造体。
【請求項５】
前記下地部材の上面は、前記床材の上面と略同一平面上に配置されるように形成される請求項２〜４のいずれかに記載の床構造体。
【請求項６】
前記大引又は前記根太に固定される幕板取付部材と、
前記幕板取付部材に取り付けられ、前記下地部材の外側に配置される幕板部材と、を更に備える請求項２〜５のいずれかに記載の床構造体。
【発明の詳細な説明】
【技術分野】
【０００１】
本発明は、支柱が設置された床構造体に関する。
【背景技術】
【０００２】
従来、地面にコンクリート等を用いて土台を立設し、土台にモルタルを塗り、複数のタイルを貼り付けて施工された、いわゆる湿式工法の床構造体が知られている（例えば、特許文献１参照）。
【先行技術文献】
【特許文献】
【０００３】
【特許文献１】特開２００４−２３２３２７号公報
【発明の概要】
【発明が解決しようとする課題】
【０００４】
タイルを貼り付けて施工された床構造体において、手摺りやフェンスなどを支持する支柱を設置する場合に、タイルは硬質であるため、タイル自体に支柱を固定することは難しかった。また、支柱をタイルの下方に配置される構造体に固定する場合には、タイルへの孔加工が必要となり、タイルに孔加工する場合に、タイル自体が硬質であるため破損する可能性もある。そのため、タイルに孔加工を施して支柱を設置することは難しかった。
従って、タイルなどの床材を有する床構造体において、支柱を容易に設置できることが望まれる。
【０００５】
本発明は、支柱を容易に設置できる床構造体を提供することを目的とする。
【課題を解決するための手段】
【０００６】
本発明は、地面に配設された複数の基台（例えば、後述の基台２）と、前記複数の基台に立設された複数の柱（例えば、後述の束柱３）と、前記複数の柱に架設された複数の大引（例えば、後述の大引４）と、前記複数の大引に架設された複数の根太（例えば、後述の根太５）と、前記大引及び／又は前記根太の上に敷設された複数の床材（例えば、後述のタイル１１）と、前記床材の外側において前記大引の上面又は前記根太の上面に直接的に又は間接的に固定される支柱（例えば、後述の支柱１５）と、を備える床構造体（例えば、後述の床構造体１）に関する。
【０００７】
また、前記床材の外側において前記大引の上面又は前記根太の上面に固定される下地部材（例えば、後述の下地部材７１）を更に備え、前記支柱は、前記下地部材を介して前記大引の上面又は前記根太の上面に固定されることが好ましい。
【０００８】
また、前記下地部材は、前記大引又は前記根太の長手方向に沿って延びるスライド溝（例えば、後述のスライド板配置溝７１３ｂ）を有し、前記支柱は、前記スライド溝に沿ってスライド移動可能に構成されることが好ましい。
【０００９】
また、前記下地部材の上面は、前記床材の上面と略同一平面上に配置されるように形成されることが好ましい。
【００１０】
また、前記スライド溝における前記支柱が配置されない部分に配置されるカバー部材（例えば、後述の溝カバー７６）を更に備えることが好ましい。
【００１１】
また、前記大引又は前記根太に固定される幕板取付部材（例えば、後述の幕板取付部材８）と、前記幕板取付部材に取り付けられ、前記下地部材の外側に配置される幕板部材（例えば、後述の幕板部材９）と、を更に備えることが好ましい。
【発明の効果】
【００１２】
本発明によれば、支柱を容易に設置できる床構造体を提供することができる。
【図面の簡単な説明】
【００１３】
【図１】本実施形態に係る床構造体を示す平面図である。
【図２】図１のＡ−Ａ線断面図である。
【図３】図１のＢ−Ｂ線断面図である。
【図４】図１のＣ−Ｃ線断面図である。
【図５】図１のＤ−Ｄ線断面図である。
【図６】支柱支持構造に支柱が接続される部分の構成を示す斜視図である。
【図７】図１のＥ−Ｅ線断面図である。
【発明を実施するための形態】
【００１４】
本発明の一実施形態に係る床構造体１について説明する。図１は、本実施形態に係る床構造体を示す平面図である。図２は、図１のＡ−Ａ線断面図である。図３は、図１のＢ−Ｂ線断面図である。
【００１５】
本発明の一実施形態に係る床構造体１は、図１に示すように、建物１００の近傍（例えば、庭）に乾式工法で施工されたデッキである。床構造体１は、一辺が建物１００の壁面と接する矩形形状に形成される。
【００１６】
図１〜図３に示すように、床構造体１は、複数の基台２と、複数の柱としての束柱３と、複数の大引４と、複数の根太５と、複数の補助根太６と、支柱支持構造７と、複数の支柱１５と、複数の手摺り１６と、幕板取付部材８と、幕板部材９と、床部１０と、を備える。束柱３、大引４、根太５、補助根太６、支柱１５、手摺り１６及び幕板部材９は、いずれもアルミニウム形材からなる。
【００１７】
複数の基台２は、図２及び図３に示すように、地面に配設されている。複数の束柱３は、複数の基台２に立設されている。
【００１８】
複数の大引４は、複数の束柱３に架設されている。大引４は、例えば、中空部を有する略角柱形状の長尺部材で構成される。複数の大引４は、建物１００の壁面に沿うように建物１００に対して平行に所定間隔で配置され、複数の束柱３に架設される。大引４の上下方向の途中には、両側面から水平方向に突出する一対の突出部４ａが形成されている。突出部４ａの上面には、複数の根太５及び複数の補助根太６が架設されている。
【００１９】
複数の根太５は、図２及び図３に示すように、複数の大引４に架設される。根太５は、例えば、中空部を有する略角柱形状の長尺部材で構成される。複数の根太５は、建物１００の壁面が延びる水平方向に対して直交する方向に平行に所定間隔で配置され、複数の大引４に架設される。大引４の突出部４ａの上面に載置された状態で、根太５の下部は、大引４に固定される。
【００２０】
複数の補助根太６は、図２に示すように、複数の根太５のうち、隣り合う根太５同士の間に並んで配置される。複数の補助根太６は、隣り合う大引４同士に架設されて、隣り合う大引４同士を繋ぐように建物１００の壁面が延びる水平方向に対して直交する方向に平行に延びる。補助根太６は、例えば、根太５の幅よりも小さい幅で形成され、中空部を有する略角柱形状の長尺部材で構成される。補助根太６は、大引４の突出部４ａの上面に載置された状態で、補助根太６の下部が、大引４に固定される。
【００２１】
床部１０は、図１〜図３に示すように、複数のタイル１１（床材）と、複数の目地材１２と、を備える。
【００２２】
複数のタイル１１は、それぞれ、例えば、平面視で正方形形状に形成され、所定の厚さを有する。複数のタイル１１は、大引４、根太５及び補助根太６の上に敷設される。
本実施形態においては、図２に示すように、タイル１１は、建物１００に平行な断面において、根太５及び補助根太６に支持されている。なお、図２に示すように、床部１０の出幅側（図１における右側及び左側、図２における右側及び左側）の端部に配置されるタイル１１の外側の端部は、最も出幅側に配置される根太５には支持されていない。
また、図３に示すように、タイル１１は、建物１００に直交する方向の断面において、複数の大引４に支持されている。床部１０の間口側（図１における手前側、図３における左側）の端部に配置されるタイル１１の外側の端部は、最も間口側に配置される大引４の上面の内側の部分に支持されている。
【００２３】
複数の目地材１２は、図１に示すように、厚さがタイル１１の厚さよりも小さく形成され、長手方向がタイル１１の縁部に沿うように、タイル１１同士の間の位置に配置される。
【００２４】
支柱支持構造７について説明する。図４は、図１のＣ−Ｃ線断面図である。図５は、図１のＤ−Ｄ線断面図である。図６は、支柱支持構造７に支柱１５が接続される部分の構成を示す斜視図である。
【００２５】
支柱支持構造７は、図１〜図３に示すように、複数の支柱１５を支持して固定する構造である。複数の支柱１５は、床構造体１において、３本の手摺り１６（図１参照）を支持するために、建物１００が配置された部分以外の３辺において、タイル１１の外側に配置される。支柱１５の上端部は、手摺り１６が接続される。３本の手摺り１６は、それぞれ、平面視で、図１に示すように、床構造体１の４辺のうち、建物１００が配置される部分以外の３辺に沿って延びる。
【００２６】
本実施形態においては、床部１０における出幅側（図１における右側及び左側）の外縁に設けられる支柱支持構造７と、床部１０における間口側（図１における手前側）の外縁に設けられる支柱支持構造７と、について説明する。
【００２７】
まず、床部１０における出幅側（図１における右側及び左側）の外縁に設けられる支柱支持構造７について説明する。
タイル１１の外側の端部は、床部１０の出幅側の端部において、図４に示すように、根太５には支持されていない。詳細には、タイル１１の床部１０の出幅側の端部は、根太５の内側の端部よりも床部１０の内側に位置する。
【００２８】
支柱支持構造７は、支柱１５の下端部を床部１０に固定する。支柱支持構造７は、図４及び図５に示すように、下地部材７１と、支持部材７２と、二重筒体７３と、裏板部材７４と、支柱下部円環カバー７５と、溝カバー７６（カバー部材）と、を有する。
【００２９】
下地部材７１は、タイル１１の外側に配置される。下地部材７１は、床部１０の建物１００以外の各辺において、床部１０の各辺に沿って並んで配置される複数のタイル１１の外側に配置され、床部１０の各辺が延びる方向に延びる。下地部材７１は、根太５の長手方向に沿って延びており、タイル１１の外側において、最も出幅側に配置された根太５の上面５１に固定される。支柱１５は、下地部材７１に固定されることで、下地部材７１を介して、根太５の上面５１に固定される。
【００３０】
下地部材７１は、図４に示すように、内側ホロー部７１１と、外側ホロー部７１２と、支柱取付凹部７１３と、を有する。内側ホロー部７１１、外側ホロー部７１２及び支柱取付凹部７１３は、一体で構成され、下地部材７１の幅方向に並んで配置される。内側ホロー部７１１、外側ホロー部７１２及び支柱取付凹部７１３は、下地部材７１の幅方向において、床構造体１の内側から外側に向けてこの順に並んで配置される。内側ホロー部７１１、外側ホロー部７１２及び支柱取付凹部７１３は、下地部材７１の長手方向に延びて形成される。
【００３１】
内側ホロー部７１１及び外側ホロー部７１２は、例えば、中空部を有する略角柱形状の長尺部材で構成される。外側ホロー部７１２の幅は、内側ホロー部７１１の幅のよりも大きい長さで形成される。内側ホロー部７１１及び外側ホロー部７１２の上面は、タイル１１の上面と略同一平面上に配置される。これにより、下地部材７１の上面は、タイル１１の上面と略同一平面上に配置されるように形成される。
【００３２】
内側ホロー部７１１及び支柱取付凹部７１３は、根太５の上面５１に載置される。内側ホロー部７１１の幅及び支柱取付凹部７１３の幅を合わせた長さは、根太５の幅と略同じ長さに形成される。
【００３３】
外側ホロー部７１２は、根太５の側面に取り付けられた幕板取付部材８（後述）の下地部材載置部８２の上面に載置される。幕板取付部材８は、外側ホロー部７１２を下方から支持すると共に、幕板部材９の上端部を受ける部材である。外側ホロー部７１２の外側には、後述する幕板部材９が配置される。
【００３４】
支柱取付凹部７１３は、下地部材７１の幅方向において、内側ホロー部７１１と外側ホロー部７１２との間に配置される。支柱取付凹部７１３は、下端部に底面板７１４が形成され、上方側が開放された凹状に形成される。また、支柱取付凹部７１３は、下部において底面板７１４の上方側に形成される下部溝７１３ａと、下部溝７１３ａの上方側に形成されるスライド板配置溝７１３ｂ（スライド溝）と、を有する。
【００３５】
底面板７１４は、支柱取付凹部７１３の底面を構成し、下地部材７１は、底面板７１４が複数のネジ部材７１４ａにより根太５の上面に固定されることで、根太５に固定される。複数のネジ部材７１４ａは、図５に示すように、下地部材７１の長手方向における支柱１５が配置されてない部分において下地部材７１の長手方向に並んで配置され、底面板７１４を根太５に固定する。これにより、下地部材７１は、複数のネジ部材７１４ａにより、根太５に固定される。
【００３６】
下部溝７１３ａ及びスライド板配置溝７１３ｂは、支柱取付凹部７１３において、上下方向に並んで配置される。下部溝７１３ａ及びスライド板配置溝７１３ｂは、下地部材７１の長手方向の全域に亘って延びて形成され、根太５の長手方向に沿って延びる。
【００３７】
下部溝７１３ａ及びスライド板配置溝７１３ｂの上下方向の境界には、一対の下方側突出部７１３ｃが形成されている。一対の下方側突出部７１３ｃは、支柱取付凹部７１３において下地部材７１の幅方向の内側面の両側から内側に対向して突出すると共に、下地部材７１の長手方向に延びる。
【００３８】
スライド板配置溝７１３ｂの上部には、一対の下地部材７１の上面よりも下方において、一対の上方側突出部７１３ｄが形成されている。一対の上方側突出部７１３ｄは、支柱取付凹部７１３において下地部材７１の幅方向の内側面の両側から内側に対向して突出すると共に、下地部材７１の長手方向に延びる。
【００３９】
スライド板配置溝７１３ｂには、支持部材７２のスライド板７２２（後述）が配置される。スライド板配置溝７１３ｂの上部には、支柱１５が配置されない部分において、溝カバー７６が配置される。溝カバー７６は、スライド板配置溝７１３ｂにおける支柱１５が配置されない部分において、上方側からスライド板配置溝７１３ｂを覆う。
【００４０】
支柱１５の下端部の外側において、スライド板配置溝７１３ｂの上部には、円環ドーム状の支柱下部円環カバー７５が配置される。支柱下部円環カバー７５は、支柱１５の下端部において、スライド板配置溝７１３ｂにおける溝カバー７６では覆いきれない部分を円環状に覆う。支柱下部円環カバー７５は、ネジ部材７５１により、支柱１５の下端部に固定される。
【００４１】
下部溝７１３ａには、下地部材７１の長手方向に所定長さを有する裏板部材７４が配置される。裏板部材７４は、ボルト部材７４１により、スライド板配置溝７１３ｂに配置された支持部材７２のスライド板７２２（後述）と共締めされる。
【００４２】
支持部材７２は、筒状延在部７２１と、筒状延在部７２１の下端部に接続されるスライド板７２２と、を有する。
【００４３】
筒状延在部７２１は、上下方向に延びる円筒状に形成される。筒状延在部７２１は、二重筒体７３（後述）の内側筒部７３２に挿入される。筒状延在部７２１の下端部には、スライド板７２２の上面が接続される。
【００４４】
スライド板７２２の上面は、筒状延在部７２１の下端部に接続される。スライド板７２２は、図５に示すように、下地部材７１の長手方向に所定長さで延びる板状に形成される。スライド板７２２は、下地部材７１のスライド板配置溝７１３ｂに配置され、スライド板配置溝７１３ｂに沿ってスライド移動可能に構成される。スライド板７２２がスライド板配置溝７１３ｂに沿ってスライド移動可能に構成されるため、二重筒体７３に固定される支柱１５は、スライド板配置溝７１３ｂの長手方向の任意の位置に設置可能である。
【００４５】
スライド板７２２は、スライド板配置溝７１３ｂに沿ってスライド移動可能に構成され、下地部材７１の長手方向の位置を決めた状態で、下部溝７１３ａに配置された裏板部材７４に、ボルト部材７４１により共締めされて固定される。これにより、スライド板７２２は、下地部材７１のスライド板配置溝７１３ｂと下部溝７１３ａとの境界に配置される一対の下方側突出部７１３ｃを上下方向において挟み込んだ状態で、下地部材７１に固定される。
【００４６】
二重筒体７３は、支柱１５と支持部材７２との間に介在して配置され、支柱１５と支持部材７２とを接続する。二重筒体７３は、図４及び図５に示すように、二重の筒状に形成され、上下方向に延びる。二重筒体７３の上部側のほとんどの部分は、支柱１５の内部に配置される。二重筒体７３は、上下方向の途中において支柱１５に固定される。二重筒体７３の下端部の内部には、支持部材７２の筒状延在部７２１が挿入される。また、二重筒体７３は、図４〜図６に示すように、外側筒部７３１と、内側筒部７３２と、上側環状板７３３と、下側環状板７３４と、を有する。
【００４７】
外側筒部７３１及び内側筒部７３２は、上下方向に延びる円筒状に形成される。外側筒部７３１の径は、内側筒部７３２の径よりも大きく形成される。内側筒部７３２は、外側筒部７３１よりも長く形成される。内側筒部７３２は、外側筒部７３１の内部を上下方向に貫通して配置される。内側筒部７３２の上部は、外側筒部７３１の上端部よりも上方に突出して配置され、内側筒部７３２の下部は、外側筒部７３１の下端部よりも下方に突出して配置される。
【００４８】
上側環状板７３３は、円環板状に形成される。上側環状板７３３は、外側筒部７３１の上端部において、外側筒部７３１と内側筒部７３２との間を塞ぐように、外側筒部７３１と内側筒部７３２との間に水平に配置される。
下側環状板７３４は、円環板状に形成される。下側環状板７３４は、外側筒部７３１の下端部において、外側筒部７３１と内側筒部７３２との間を塞ぐように、外側筒部７３１と内側筒部７３２との間に水平に配置される。
【００４９】
以上の二重筒体７３において、外側筒部７３１、内側筒部７３２、上側環状板７３３及び下側環状板７３４は、例えば、溶接やカシメなどにより固定されている。
【００５０】
二重筒体７３の内側筒部７３２の下端部の内部には、支持部材７２の筒状延在部７２１が挿入されて配置される。これにより、二重筒体７３は、支持部材７２に支持される。
【００５１】
二重筒体７３の外側筒部７３１は、図４に示すように、支柱１５の内部に配置される。外側筒部７３１には、支柱１５の外部から水平方向に貫通される複数のボルト部材１５１が貫通して配置される。本実施形態では、複数のボルト部材１５１は、一対のボルト部材１５１が上下方向に離間して２組設けられている。一対のボルト部材１５１は、内側筒部７３２を径方向に挟んで、互いの先端が対向して配置される。これにより、一対のボルト部材１５１は、先端が内側筒部７３２を径方向に挟んだ状態で内側筒部７３２の外周面に当接して、支柱１５を二重筒体７３に固定する。
【００５２】
以上のように構成される支柱支持構造７においては、複数のタイル１１が配置される床構造体１におけるタイル１１の外側において、支柱１５を根太５に固定できる。タイル１１の外側において、下地部材７１を根太５に固定して、下地部材７１に支柱１５を取り付けることができるため、複数のタイル１１が配置された床構造体１において、タイル１１に孔加工せずに、支柱１５を床部１０に容易に設置することがでる。
【００５３】
また、スライド板配置溝７１３ｂが下地部材７１の長手方向に延びて形成されるため、支柱１５を下地部材７１の長手方向の任意の位置に容易に設置できる。また、支柱１５の設置後において、支柱１５の下地部材７１の長手方向の位置を容易に変更できる。
【００５４】
支柱１５の下地部材７１の長手方向の位置を決めて設置した後には、溝カバー７６によりスライド板配置溝７１３ｂを覆うことができ、支柱下部円環カバー７５により支柱１５の下端部においてスライド板配置溝７１３ｂにおける溝カバー７６では覆いきれない部分を円環状に覆うことができるため、意匠性を向上できる。
【００５５】
また、下地部材７１の内側ホロー部７１１と外側ホロー部７１２の上面が、タイル１１の上面と略同一平面上に配置されるように形成される。下地部材７１の上面とタイル１１の上面とが段差のない略同一平面となるため、意匠性を向上できる。
【００５６】
次に、床部１０における間口側（図１における手前側）の外縁に設けられる支柱支持構造７について説明する。図７は、図１のＥ−Ｅ線断面図である。
【００５７】
床部１０における間口側（図１における手前側）の外縁に設けられる支柱支持構造７は、床部１０における出幅側（図１における右側及び左側）の外縁に設けられる支柱支持構造７と比べて、支柱支持構造７の下地部材７１が、出幅側（図１における右側及び左側）において根太５の上面５１に固定されるのに対して、間口側（図１における手前側）において大引４の上面４１に固定される。
具体的には、図７に示すように、床部１０における間口側（図１における手前側）の外縁に設けられる支柱支持構造７では、支柱支持構造７の下地部材７１は、タイル１１の外側において、最も間口側に配置された大引４の上面４１に固定される。支柱１５は、下地部材７１に固定されることで、下地部材７１を介して、大引４の上面４１に固定される。
【００５８】
また、タイル１１の外側の端部は、床部１０の間口側の端部において、図７に示すように、大引４の上面４１の内側の一部に支持されている。
具体的には、床部１０における間口側（図１における手前側）の外縁に設けられる支柱支持構造７では、タイル１１は、床部１０の間口側の端部において、図７に示すように、タイル１１の外側の端部は、大引４の上面４１の内側の一部に支持されている。詳細には、タイル１１の床部１０の間口側の端部は、大引４の内側の端部よりも床部１０の外側に位置する。
【００５９】
その他の点については、床部１０における間口側（図１における手前側）の外縁に設けられる支柱支持構造７は、床部１０における出幅側（図１における右側及び左側）の外縁に設けられる支柱支持構造７の説明と同様である。そのため、床部１０における間口側（図１における手前側）の外縁に設けられる支柱支持構造７の説明は、床部１０における出幅側（図１における右側及び左側）の外縁に設けられる支柱支持構造７の説明を援用して、その説明を省略する。
【００６０】
幕板部材９について説明する。図４及び図７に示すように、幕板部材９は、床部１０の外縁の側部を覆うように配置される。本実施形態においては、幕板部材９は、幕板取付部材８を介して、支柱支持構造７における下地部材７１の外側に取り付けられる。
【００６１】
幕板部材９は、図４に示すように、幕板取付部材８を介して、床部１０における出幅側（図１における右側及び左側）の外縁の側部において、下地部材７１の外側及び根太５の側面に取り付けられる。また、幕板部材９は、図７に示すように、幕板取付部材８を介して、床部１０における間口側（図１における手前側）の外縁の側部において、下地部材７１の外側及び大引４の側面に取り付けられる。
【００６２】
なお、本実施形態において、幕板部材９及び幕板取付部材８が取り付けられる構造は、床部１０における出幅側（図１における右側及び左側）及び間口側（図１における手前側）のいずれの外縁の側部に設けられる場合においても、同様の構成である。
【００６３】
幕板取付部材８は、床部１０の縁部の側部に配置される大引４（図７参照）又は根太５（図４参照）に固定される。幕板取付部材８には、幕板部材９が取り付けられる。幕板取付部材８は、床部１０と幕板部材９との間に配置される。
【００６４】
本実施形態においては、図４に示すように、床部１０における出幅側に配置される幕板取付部材８は、床部１０の縁部側に配置される根太５の係止部５３の上面に載置された状態で、床部１０の縁部側に配置される根太５の側面にネジ止めにより固定されている。
また、図７に示すように、床部１０における間口側に配置される幕板取付部材８は、床部１０の縁部側に配置される大引４の突出部４２の上面に載置された状態で、床部１０の縁部側に配置される大引４の側面にネジ止めにより固定されている。
【００６５】
幕板取付部材８は、図４及び図７に示すように、上下方向延在固定壁８１と、下地部材載置部８２と、上方突出部としての上方突出壁８３と、側方突出壁８４と、下方突出部としての下方突出壁８５と、背面側方延出壁８６と、を有する。
【００６６】
上下方向延在固定壁８１は、鉛直方向に延びる壁である。上下方向延在固定壁８１は、大引４又は根太５の外側の側面に当接しており、大引４又は根太５の外側の側面に固定されている。
【００６７】
下地部材載置部８２は、上下方向延在固定壁８１の上端から、床部１０の外側に配置される幕板部材９側に水平方向に突出している。下地部材載置部８２の上面には、下地部材７１の外側の端部が載置される。
【００６８】
上方突出壁８３は、幕板取付部材８における上方側に形成され、下地部材載置部８２の外側の端部側において、下地部材載置部８２の上面から上方側に突出する。
側方突出壁８４は、上下方向延在固定壁８１の下端から幕板部材９側に水平方向に突出して形成されている。
【００６９】
下方突出壁８５は、鉛直方向に延びる壁であり、側方突出壁８４の幕板部材９側の端部から下方側に突出する。下方突出壁８５の外側の側面には、幕板部材９の中間突出片９５が突き当てられる。下方突出壁８５の下端部８５ａには、幕板部材９（後述）の下部突出係合片９６（下部係合部）が係合される。
【００７０】
背面側方延出壁８６は、下方突出壁８５の上下方向の途中の裏面から、床部１０側に水平方向に突出して形成される。背面側方延出壁８６の先端は、大引４における床部１０の外側の突出部４２（図４参照）の上面に載置されており、又は、根太５における床部１０の外側の係止部５３（図７参照）の上面に載置されている。
【００７１】
幕板部材９は、図４に示すように、幕板取付部材８に嵌合して取り付けられる。幕板部材９は、幕板取付部材８に取り付けられた状態において、下地部材７１の外側に配置される。なお、本実施形態においては、幕板部材９が幕板取付部材８に取り付けられる構成について、図４における床部１０の出幅側に配置される幕板部材９について説明するが、図７における床部１０の間口側に配置される幕板部材９についても同様の構成である。
【００７２】
幕板部材９は、図４に示すように、上下方向に延びると共に水平方向に長尺な板材により形成される。幕板部材９は、幕板部材９が幕板取付部材８に取り付けられた状態において、側板としての側壁９１と、上面板としての下地部材収容上面壁９２と、突出係止部としての突出係止壁９３と、照明収容溝９４と、中間突出片９５と、下部係合部としての下部突出係合片９６と、を備える。
【００７３】
側壁９１は、床部１０の外縁の側部において、上下方向に延びて形成されており、平板状に形成されている。
【００７４】
下地部材収容上面壁９２は、側壁９１の上方側に形成され、側壁９１の上端部から、床部１０側の側方に水平方向に延びるように形成されている。下地部材収容上面壁９２の下方には、下地部材収容上面壁９２の先端側において、下地部材載置部８２の上面に載置された下地部材７１の外側の端部が収容され、下地部材収容上面壁９２の基端側において、下地部材収容上面壁９２の下面には、幕板取付部材８の上方突出壁８３の上端部が当接する。
【００７５】
突出係止壁９３は、下地部材収容上面壁９２の下面における下地部材７１の外側の端部と上方突出壁８３との間の位置において、下地部材収容上面壁９２の下面から下方側に突出する。突出係止壁９３は、幕板取付部材８の上方突出壁８３に係止される。突出係止壁９３は、幕板取付部材８の上方突出壁８３に係止されることで、幕板部材９が床部１０の外側に位置するように、幕板部材９における床部１０に対する水平方向の位置を位置決めする。
【００７６】
照明収容溝９４は、側壁９１の下部に設けられた溝であり、床部１０側に向けて開口して形成され、水平方向に延びる。照明収容溝９４には、ＬＥＤ等の小型照明が適宜配置される。
【００７７】
中間突出片９５は、側壁９１の上下方向の途中において、側壁９１の裏面から、床部１０側の側方に突出する。中間突出片９５の先端部は、幕板取付部材８の下方突出壁８５の外側の側面に当接する。
【００７８】
下部突出係合片９６は、側壁９１における下地部材収容上面壁９２よりも下方において、側壁９１の上下方向の途中における中間突出片９５よりも下方の位置の裏面から、床部１０側の側方に延びる。下部突出係合片９６は、幕板取付部材８側が上る上り傾斜で延びており、係合段部９６ａを有する。係合段部９６ａは、下部突出係合片９６が延びる途中に段状に形成され、幕板取付部材８の下方突出壁８５の下端部８５ａに係合する。
【００７９】
以上のように構成される幕板部材９は、下地部材収容上面壁９２が幕板取付部材８の上方突出壁８３の上端部に当接すると共に突出係止壁９３が幕板取付部材８の上方突出壁８３に係止された状態で、下部突出係合片９６の係合段部９６ａが幕板取付部材８の下方突出壁８５の下端部８５ａに係合することで、幕板取付部材８に嵌合して取り付けられる。
【００８０】
以上説明した本実施形態の床構造体１によれば、以下のような効果を奏する。
本実施形態の床構造体１は、地面に配設された複数の基台２と、複数の基台２に立設された複数の束柱３と、複数の柱３に架設された複数の大引４と、複数の大引４に架設された複数の根太５と、大引４及び／又は根太５の上に敷設された複数のタイル１１と、タイル１１の外側において大引４の上面又は根太５の上面に直接的に又は間接的に固定される支柱１５と、を備える。そのため、タイル１１の外側において、支柱１５を大引４又は根太５に固定できる。これにより、タイル１１に孔加工せずに支柱１５を容易に設置できる。
【００８１】
また、本実施形態においては、床材１１の外側において大引４の上面又は根太５の上面に固定される下地部材７１を更に備え、支柱１５は、下地部材７１を介して大引４の上面又は根太５の上面に固定される。これにより、下地部材７１を介して、容易に、床構造体１に支柱１５を容易に設置することができる。
【００８２】
また、本実施形態においては、下地部材７１は、大引４又は根太５の長手方向に沿って延びるスライド板配置溝７１３ｂを有し、支柱１５は、スライド板配置溝７１３ｂに沿ってスライド移動可能に構成される。これにより、支柱１５を下地部材７１の長手方向における任意の位置に容易に設置することができる。
【００８３】
また、本実施形態においては、スライド板配置溝７１３ｂにおける支柱１５が配置されない部分に配置される溝カバー７６を更に備える。これにより、スライド板配置溝７１３ｂにおける支柱１５が配置されない部分を溝カバー７６で覆うことができるため、意匠性を向上できる。
【００８４】
また、本実施形態においては、下地部材７１の上面は、タイル１１の上面と略同一平面上に配置されるように形成される。これにより、下地部材７１の上面とタイル１１の上面とが段差のない略同一平面となるため、意匠性を向上できる。
【００８５】
また、本実施形態においては、大引４又は根太５に固定される幕板取付部材８と、幕板取付部材８に取り付けられ、下地部材７１の外側に配置される幕板部材９と、を更に備える。これにより、床部１０の外縁の側部を覆う幕板部材９を、下地部材７１の外側に容易に取り付けることができる。
【００８６】
以上、本発明の床構造体１の好ましい一実施形態について説明したが、本発明は、上述した実施形態に制限されるものではなく、適宜変更が可能である。
【００８７】
例えば、前記実施形態では、支柱１５は、タイル１１の外側において、下地部材７１を介して、間接的に大引４の上面又は根太５の上面に固定したが、これに限定されず、大引４の上面又は根太５の上面に直接的に固定してもよい。
【００８８】
また、前記実施形態では、床材としてタイル１１を使用した例について説明したが、これに限定されない。床材として、例えば、大理石を使用してもよい。
【００８９】
また、前記実施形態では、支柱１５は手摺り１６を支持するように構成したが、これに限定されない。例えば、支柱はフェンスなどを支持するように構成してもよい。
【符号の説明】
【００９０】
１  床構造体
２  基台
３  束柱（柱）
４  大引
５  根太
８  幕板取付部材
９  幕板部材
１１  タイル（床材）
１５  支柱
４１  大引の上面
５１  根太の上面
７１  下地部材
７６  溝カバー（カバー部材）
７１３ｂ  スライド板配置溝７１３ｂ（スライド溝）
【図１】
2019199719.tif 000003
【図２】
2019199719.tif 000004
【図３】
2019199719.tif 000005
【図４】
2019199719.tif 000006
【図５】
2019199719.tif 000007
【図６】
2019199719.tif 000008
【図７】
2019199719.tif 000009